(57)【要約】      （修正有）【課題】長期にわたって、良好な排水性を維持することができ、かつ土壤汚染のない埋設型排水材を提供する。【解決手段】土壌内に埋設して土壌に浸透した水を排水する埋設型の排水材であって、テレビブラウン管のパネルガラスをはじめとする環境汚染物質の含有量が少ない廃ガラスを原料とする塊状の発泡リサイクルガラス１を、合成樹脂製不織布２で形成した筒状包装体の内部に充填してある。【選択図】図１
0003192400.tif 000002
【実用新案登録請求の範囲】
【請求項１】
土壌内に埋設して土壌に浸透した水を排水する埋設型の排水材であって、
廃ガラスを原料として形成した塊状の発泡ガラスを合成樹脂製不織布で形成した筒上包装体内に充填してあることを特徴とする埋設型排水材。
【請求項２】
原料の廃ガラスがテレピブラウン管のパネルガラスである請求項１に記載の埋設型排水材。
【請求項３】
発泡ガラスからの各種溶出成分量が、土壤環境基準の１／３以下である請求項１または２に記載の埋設型排水材。
【考案の詳細な説明】
【技術分野】
【０００１】
本考案は、競技用グランドや公園、あるいは庭園などの地面に埋設する埋設型排水材に関し、特に、テレビブラウン管を原料とする発泡ガラスを使用する埋設型排水材に関す。
【背景技術】
【０００２】
ゴルフ、サッカー、テニス、野球、陸上などの競技用グランドや公園、あるいは庭園(家庭用を含む)での地表面や土壤中の排水は、多孔質配管などの排水管を埋設し、管廻り及び導水部には、透水性の良い材料を配置して施工することが一般的に行われている。
【０００３】
そして、このような排水システムにおいて、ガラス製発泡体を通気・通水性を有する生分解性の袋に充填し、このガラス製発泡体を充填してなる通気・通水性改良材を土壌中に埋設するようにしたもの(特許文献１)や、パーライト等の粒状鉱物からなる土壤用粒材を紙製の基材と合成樹脂製の織物とで包装したものを土壌中に埋設するようにしたもの(特許文献２)が提案されている。
【先行技術文献】
【特許文献】
【０００４】
【特許文献１】登録実用新案第３０９６４９２号公報
【特許文献２】特開２００５−１７０４５３号公報
【考案の概要】
【考案が解決しようとする課題】
【０００５】
ガラス製発泡体を生分解性の袋に充填している従来技術では、生分解性の袋体には通気性・通水性を確保するために、ガラス製発泡体の粒径よりも小さな透孔が存在している。これにより、袋体が分解するまでの間は水がこの透孔を介してガラス製発泡体のほうに移動することになるが、袋体が生分解した後に、袋体の表面に付着していた粘土やシルト及び土壌中に含まれている粘土やシルトが充填されていたガラス製発泡体の表面に直接付着することから、通水性・通気性を阻害することになり、所期の排水性を維持できないという問題がある。
【０００６】
さらに、このガラス製発泡体は多種多様な廃ガラスをその原料とするものであることから、廃ガラス中に含まれていた鉛等の重金属などが土壌中に溶出し、環境を汚染することも考えられる。
【０００７】
一方、土壤用粒材を紙製の基材と合成樹脂製のクロスとで包装したものを土壌中に埋設するものにあっても、紙製基材で合成樹脂製クロスを挟持したものを包装材としていることから、土砂(粘土やシルト)の付着による紙製基材や合成樹脂製クロスの目詰まりは避けられず、このものにも所期の排水性を維持できないという問題がある。
【０００８】
本考案は、長期にわたって、良好な排水性を維持することができ、かつ土壤汚染のない埋設型排水材を提供することを目的とする。
【課題を解決するための手段】
【０００９】
上述の目的を達成するために、請求項１に記載の考案は、土壌内に埋設して土壌に浸透した水を排水する埋設型の排水材であって、
廃ガラスを原料として形成した塊状の発泡ガラスを合成樹脂製不織布で形成した筒体の内部に充填してあることを特徴としている。
【考案の効果】
【００１０】
本考案では、廃ガラスを原料として発泡成形した塊状の発泡ガラス(ポーラスガラス)を、例えばポリエステルなどの合成樹脂繊維で形成した不織布で包被して筒状の排水材としていることから、排水性を求められる土壌中に埋設しても、発泡ガラスは空隙率が高く、保水性も良好であることから、集中豪雨時の表面排水量を緩和し、公共下水への流入を減少させることができるうえ、水はけの悪い場所にできる泥濘の発生を防止することができる。また、夏期における表土乾燥時に、保水された水分が蒸発し、打ち水効果を発揮することができる。
【００１１】
さらに、発泡ガラス群を包被する素材としてフィルター機能があり、耐候性が強く劣化しない合成樹脂製不織布を採用しているので、粘土やシルトの内部への侵入を防止することができ、発泡ガラスの空隙に目詰まりが生じることはなく、発泡ガラスに空気層を常時確保することができるようになるから、長期にわたって、透水性・排水性・保水性を確保することができる。
【００１２】
さらに、発泡ガラスの原料として、環境汚染物質とされる鉛がガラス中に含有されていない廃棄ブラウン管のバネルガラスを使用した場合には、ブラウン管パネルガラス由来の発泡ガラスを土壤中に埋設しても、鉛や他の環境汚染物質の溶出がほとんどなく、環境汚染することはない。
【図面の簡単な説明】
【００１３】
【図１】本考案の一実施形態を示す包装体の一部を破断した斜視図である。
【考案を実施するための形態】
【００１４】
本考案にかかる埋設型排水材は、図１に示すように、発泡ガラス(１)の塊体を合成樹脂繊維で構成した不織布(２)の筒体に充填して棒状に形成してある。
【００１５】
発泡ガラス(１)は、廃棄されたテレビブラウン管のパネルガラスを原料とし、この廃棄パネルガラスを破砕・粉砕したのち、発泡剤・添加材を投入して高温焼成することで、不燃・不煙の軽量多孔質の塊体としたリサイクル品である。
【００１６】
ここで、テレビブラウン管のパネルガラスを原料に選択した所以は、テレビブラウン管のパネルガラスは無害・無色のガラスであり、原料であるガラスの品質が安定していることから製品の発泡ガラスの品質が安定する点にある。また、テレビブラウン管のパネルガラスはびんガラスに比べて融点が低く、焼成温度を低く設定でき、省エネルギーに寄与できる。
【００１７】
また、上記実施態様では、テレビブラウン管のパネルガラスの廃棄物を原料としたものについて説明しているが、リサイクル発泡ガラスの原料としては、環境汚染物質の含有率が少ないガラスの廃棄物を選択してカレット化したものであっても良い。
【００１８】
発泡ガラス(１)を包被している合成樹脂製不織布は、ポリエステル樹脂繊維を絡み合わせて目付(ｇ／ｍ２)１００〜２００のシート状に形成したものを筒体に形成したものである。この筒体の内部に前述のテレビブラウン管のパネルガラス由来の発泡ガラス塊を充填し、開口部を結束体(３)で開封可能に閉塞してある。
【００１９】
この合成樹脂製不織布(２)としては、前記したポリエステル樹脂繊維のほかに、アラミド樹脂繊維、ナイロン樹脂繊維、ビニロン樹脂繊維、ポリエチレン樹脂繊維、ポリオレフィン樹脂繊維、レーヨン樹脂繊維などが使用でき、また、これらの合成樹脂繊維の組み合わせであってもよい。
【００２０】
上述の構成からなる埋設型排水材は、排水性を高めるように改良する土壤中に埋設配置して使用される。発泡ガラスは、多孔質であることから、降雨時に土壌に浸透した雨水を吸収保持することになり、地表面を流れる雨水が公共下水への流入を抑制することができる。また、地表面での水はけの悪い個所に生じるぬかるみを防止することができる。また、発泡ガラスが保持していた水分は、土壤中の水分が減少することにより、土壤中に吐出され、特に夏期の表土乾燥時には、発泡ガラスに保水された水分が蒸発して、打ち水効果をもたらすことになる。
【００２１】
この土壌での水分の移動に伴い、粘土やシルトも発泡ガラス(１)を包被している合成樹脂繊維製不織布(２)の表面に移動してくるが、合成樹脂繊維製不織布(２)は細かいサイズの空隙が無数にかつ多層にそれぞれが連続する状態に存在していることから、移動してきた粘土やシルトの一部が合成樹脂繊維製不織布(２)の空隙に付着することによる目詰りで開口率が低下することがあっても、合成樹脂繊維製不織布(２)全体としての開口率を維持することができるから、内部に充填された発泡ガラス(１)の多孔質を長期にわたって維持することができる。
【００２２】
本考案にかかる埋設型排水材を土壌中に埋設した際の土壌への溶出成分と、溶出量を表１に示す。
【００２３】
【表１】
0003192400.tif 000003
【００２４】
土壌への各成分溶出は、水銀系、ポリ塩化ビフェニールを除いて、環境基準値の１／１０以下であり、ふっ素系の溶出でも１／４であった。
【００２５】
さらに、リサイクルガラスから特に溶出し易い、六価クロム化合物、鉛及びその化合物、砒素及びその化合物を３つの検体で検出した結果を図２に示す。
【００２６】
【表２】
0003192400.tif 000004
【００２７】
この結果、六価クロム化合物、砒素及びその化合物は環境基準値の１／１０以下、鉛及びその化合物は、環境基準値の３０％であった。
【産業上の利用可能性】
【００２８】
学校のグラウンド、競技場、庭園、園路、宅地内排水などに利用することができる。
【図１】
0003192400.tif 000005